(57)【要約】【課題】生活環境の改善に有効な一方で人体に有害な成分を、人体に影響を及ぼすことなく居住空間に放出することが可能な空気調和機を得る。【解決手段】空調運転モードの運転を行う空調手段１０と、所定の空調運転モードと組み合わされて駆動され、人体に長時間照射されると有害となる成分を居住空間内に向けて放出する放出手段４０と、居住空間内の動体を検出する動体検知手段３０と、空調手段及び放出手段を制御する制御手段６０とを備え、制御手段６０は、放出手段４０を駆動させて有害成分の放出を行う放出運転モードを更に有し、空気調和機の本体又はリモコン７０に設けられたボタンの操作により放出運転の開始が指示されると、動体検知手段３０により動体が検知されたか否かを判断し、動体が検知されない場合に、放出手段４０を駆動するとともに空調手段１０を所定の空調運転モードで運転させる。【選択図】図２
2008241201.tif 000002
【特許請求の範囲】
【請求項１】
冷却、暖房、除湿及び送風のうち、少なくとも何れか一つの空調運転モードを備えた空気調和機において、
空調運転モードの運転を行う空調手段と、
所定の空調運転モードと組み合わされて駆動され、人体に長時間照射されると有害となる成分を居住空間内に向けて放出する放出手段と、
居住空間内の動体を検出する動体検知手段と、
前記空調手段及び前記放出手段を制御する制御手段とを備え、
前記制御手段は、前記放出手段を駆動させて前記有害成分の放出を行うとともに前記空調手段を前記所定の空調運転モードで運転させる放出運転モードを更に有し、前記制御手段は、前記空気調和機の本体又はリモコンに設けられたボタンの操作により放出運転の開始が指示されると、前記動体検知手段により動体が検知されたか否かを判断し、動体が検知されない場合、前記放出手段の駆動条件を満たすものと判断して前記放出運転を行うことを特徴とする空気調和機。
【請求項２】
居住空間内の温度及び湿度を検出する温度・湿度検出手段を更に備え、前記制御手段は、前記放出手段の駆動条件として、更に、前記温度・湿度検出手段の検出結果が予め設定された条件を満たすことを含むことを特徴とする請求項１記載の空気調和機。
【請求項３】
現在の時刻を取得する時間取得手段を更に備え、前記制御手段は、前記放出手段の駆動条件として、更に、前記時間取得手段で取得した現在時刻が予め設定された時間帯にあることを含むことを特徴とする請求項１又は請求項２記載の空気調和機。
【請求項４】
前記時間取得手段は、リモコンからの送信信号に含まれる時刻情報を取得するか、または前記温度・湿度検出手段の検出結果を所定の変換式を用いて時刻に変換して時刻情報として取得することを特徴とする請求項３記載の空気調和機。
【請求項５】
前記放出手段から放出される有害成分は、虫を撃退する殺虫成分であることを特徴とする請求項１乃至請求項４の何れかに記載の空気調和機。
【請求項６】
前記所定の空調運転モードは冷房運転あるいは送風運転であり、前記放出運転では、前記空調手段で冷房、送風運転しながら、冷房、送風空気とともに前記殺虫成分を居住空間に放出することを特徴とする請求項５記載の空気調和機。
【請求項７】
居住空間内の環境汚染度を検出する環境汚染度検出手段を備え、前記制御手段は、前記環境汚染度検出手段で検出された汚染度が予め設定された閾値以上であるか否かを定期的に判断し、閾値以上となった場合、前記放出運転の開始指示とみなして前記放出手段の駆動条件の判断を行い、駆動条件を満たす場合、前記放出運転を行い、環境汚染度を低下させることが可能な除菌成分を放出させることを特徴とする請求項１記載の空気調和機。
【請求項８】
前記放出手段から放出される有害成分は、風邪ウイルスや病原菌を除菌、殺菌する除菌成分であることを特徴とする請求項１乃至請求項４、請求項７の何れかに記載の空気調和機。
【請求項９】
前記放出手段は、有害成分である放出液を貯蔵する貯蔵部を備え、該貯蔵部は付け替え可能なカートリッジ式であることを特徴とする請求項１乃至請求項８の何れかに記載の空気調和機。
【請求項１０】
前記放出手段から放出される有害成分は、虫除けを行う高周波音であることを特徴とする請求項１乃至請求項４の何れかに記載の空気調和機。
【請求項１１】
前記空気調和機の本体又はリモコンに設けられたボタンを押す回数に応じて前記放出運転の開始・停止が切り替わることを特徴とする請求項１乃至請求項１０の何れかに記載の空気調和機。
【請求項１２】
外部端末と通信可能なネットワーク通信手段を備え、前記放出運転の開始・停止及び放出量の制御を前記外部端末から制御できるようにしたことを特徴とする請求項１乃至請求項１１の何れかに記載の空気調和機。
【発明の詳細な説明】
【技術分野】
【０００１】
この発明は空気調和機に関し、更に詳しくは、設置空間に所定の成分を放出する機能を備えた空気調和機に関するものである。
【背景技術】
【０００２】
従来、この種の空気調和機として、消臭用薬剤や芳香用薬剤などの薬剤成分を空間内に放出して室内を消臭又は芳香させ、居住空間の環境を改善する空気調和機があった（例えば、特許文献１参照）。
【特許文献１】特開２００６−１２５８０７号公報（第６頁、第１図）
【発明の開示】
【発明が解決しようとする課題】
【０００３】
ところで、快適で清潔な居住環境を得るために、例えば室内に存在する害虫、例えば蚊を撃退する蚊取り機器や高周波音虫除け機器が用いられたり、また、室内に除菌成分を自然放出させる除菌機器が用いられる場合がある。これらの機器は、薬剤成分や高周波成分、除菌成分を居住空間中に放出するものであるが、ここで用いられる放出成分は、その成分の効能上、長時間放出されると人体に有害であることが多く、使用者が各自の判断で機器の使用を行っていた。
【０００４】
上記各機器は、上記従来の空気調和機と同様に、居住空間中に所定の成分を放出するものであることから、空気調和機に対して上記各機器と同様の機能を付加することが考えられる。しかしながら、上記従来の空気調和機では、人体に影響のない成分を放出することを想定したものであり、人体に有害なものを用いることは全く想定されておらず、このため、単に放出成分を変えるだけで良いというものではなかった。
【０００５】
この発明はこのような点に鑑みなされたもので、生活環境の改善に有効な一方で人体に有害な成分を、人体に影響を及ぼすことなく居住空間に放出することが可能な空気調和機を得ることを目的とする。
【課題を解決するための手段】
【０００６】
この発明に係わる空気調和機は、冷却、暖房、除湿及び送風のうち、少なくとも何れか一つの空調運転モードを備えた空気調和機において、空調運転モードの運転を行う空調手段と、所定の空調運転モードと組み合わされて駆動され、人体に長時間照射されると有害となる成分を居住空間内に向けて放出する放出手段と、居住空間内の動体を検出する動体検知手段と、空調手段及び放出手段を制御する制御手段とを備え、制御手段は、放出手段を駆動させて有害成分の放出を行うとともに空調手段を所定の空調運転モードで運転させる放出運転モードを更に有し、制御手段は、空気調和機の本体又はリモコンに設けられたボタンの操作により放出運転の開始が指示されると、動体検知手段により動体が検知されたか否かを判断し、動体が検知されない場合、放出手段の駆動条件を満たすものと判断して放出運転を行うものである。
【発明の効果】
【０００７】
この発明によれば、動体検知手段により居住空間内に人や動物などが居るかどうかをチェックし、居ない場合に放出手段を駆動して居住空間内に有害成分を放出するようにしたので、生活環境の改善に有効な一方で人体に有害な放出成分を、人や動物に影響を及ぼすことなく居住空間に放出することができ、快適な室内環境を提供することが可能な空気調和機を得ることができる。
【発明を実施するための最良の形態】
【０００８】
実施の形態１．
以下、この発明の実施の形態１について説明する。
図１は、実施の形態１の空気調和機の室内機の外観概略斜視図である。
この実施の形態１の空気調和機は、空気調和機本体１と、空気調和機本体１下側の空気吹出口２を開閉するとともに上下方向の風向制御を行う上下風向制御羽根３と、左右方向の風向制御を行う左右風向制御羽根４とにより外観部分が形成されている。また、空気調和機本体１内には、居住環境の改善に有効な一方で人体に有害な成分を居住空間に放出する放出手段４０が設けられている。この放出手段４０の詳細な構成については後述する。
【０００９】
図２は、図１の空気調和機の内部構成を示すブロック図である。
空気調和機は、空調手段１０と、居住空間の温度及び湿度を検出する温度・湿度検出手段２０と、居住空間の動体を検出する動体検知手段３０と、居住環境の改善に有効な一方で人体に有害な成分を室内に放出する放出手段４０と、リモコン７０からの送信信号を受信し、受信した信号を後述の制御手段６０に出力する受信手段５０と、マイクロコンピュータで構成され、空気調和機全体の制御を行う制御手段６０とを備えている。
【００１０】
空調手段１０は、リモコン７０や空気調和機本体１に設置されたボタン（図示せず）などによって設定された空調運転モード（冷房運転、暖房運転、除湿運転及び送風運転）に応じた空調運転を行う手段で、温度・湿度検出手段２０で検出された居住空間の温度及び湿度が、設定温度及び湿度となるように空調気体を調節して居住空間に吐出するまでの一連の動作を行う。なお、冷房運転、暖房運転、除湿運転及び送風運転のための具体的な構成については従来公知の構成を採用でき、この構成部分に関しては、本発明の趣旨とは関連性がないので詳細説明は省略する。
【００１１】
動体検知手段３０は、例えば、ＣＭＯＳカメラ、ＣＣＤカメラなどの撮像手段から構成され、撮影画像の変化を監視し、変化が発生すれば動体検知と判断し、その検知結果を制御手段６０に出力するもので、居住空間内を撮影するように空気調和機に設置される。撮影画像の撮影情報である輝度と色度のうち、輝度の方が色度に比べて変化が顕著であるため輝度変化により動体を検出すれば、動体検知に必要な情報量も軽減できるため処理を高速にすることができる。また、動体検知手段３０としては他に例えば温度変化に応じて出力が変化する焦電センサや、絶対温度を検知できるサーモパイルセンサを用いるようにしてもよい。なお、カメラを用いた場合には、焦電センサやサーモパイルセンサを用いる場合に比べて解像度が細かいため、微小な変化も検知でき、高い検知精度で検出が可能である。
【００１２】
図３は、図１の放出手段の構成を示す図である。
放出手段４０は、放出液を貯蔵する貯蔵部４１と、空気調和機の空気吹出口２付近に設けられ、貯蔵部４１内の放出液を居住空間内に向けて放出する放出部４２と、貯蔵部４１内の放出液を放出部４２へと転送する転送部４３と、転送部４３と放出部４２との間に設けられ、放出液を気化させて放出部４２から放出させる気化部４４とを備えたものである。
【００１３】
貯蔵部４１は、カートリッジ式で付け替えが可能に構成され、その配置位置は、付け替えが容易なように、手の届きやすい位置として空気調和機本体１内の下部に配置するのが良く、例えば制御基板（図示せず）やコード（図示せず）など構成部品の配置により設置スペースを確保できる場所を選択すればよい。
【００１４】
貯蔵部４１に貯蔵される放出液は、本例では、居住環境の改善に有効な一方で人体に有害な成分を対象としており、例えば、蚊を撃退する殺虫剤、風邪ウィルスや病原菌を除菌、殺菌する除菌剤などが対象となる。殺虫剤としては、例えばピレスロイド系アレスリンが用いられ、除菌剤としては例えば第四級アンモニウム塩あるいは次亜塩素酸ナトリウムが用いられる。実施の形態１〜実施の形態３では、蚊を撃退する殺虫剤が貯蔵されている場合を例に説明する。
【００１５】
転送部４３は、例えば可撓性チューブで構成されており、一端は貯蔵部４１に連結され、他端は空気吹出口２に位置して放出部４２とされている。
【００１６】
気化部４４は、例えばヒータ等の加熱手段で構成されており、放出液を加熱して気化させる部分で、その加熱量は制御手段６０によって制御される。制御手段６０で気化部４４の加熱量を制御することにより、放出部４２からの放出量を制御できる構成となっている。
【００１７】
このように構成された放出手段４０は、制御手段６０からの制御信号によって気化部４４が所定の加熱量で駆動されると、貯蔵部４１の放出液を気化し、気化成分（放出成分）を放出部４２から居住空間内に向けて放出するようになっている。
【００１８】
なお、放出部４２は図１に示すようなピンホール状でなくても、例えば図１の左下側に点線で図示したようにプレート状でも良く、プレート状であれば放出の効率が改善され、除菌効果を高めることができる。
【００１９】
図２の説明に戻る。
制御手段６０は、受信手段５０を介して受信したリモコン７０からの信号や、動体検知手段３０からの検知結果信号を受信し、その受信した信号に応じた制御を行う。また、冷房運転、暖房運転及び除湿運転の各空調運転モードに応じた運転制御プログラムを有し、その運転制御プログラムに基づいて各部を制御する。この実施の形態１は、上記の空調運転モードに加え、更に、放出手段４０を駆動して有害成分の放出を行うとともに、空調手段１０を所定の空調運転モードで運転させる放出運転モードを有しており、放出運転モードでは、放出運転の制御プログラムに基づいて後述の各フローチャートに示す処理が行われる。
【００２０】
ここで、放出運転は、冷房運転、暖房運転、除湿運転及び送風運転のうちの何れかの空調運転モードと組み合わされて動作するモードである。例えば、放出成分が蚊を除去する殺虫成分である場合、一般に蚊は夏場に発生することから、冷房運転と組み合わされて動作するように構成されている。これにより、放出手段４０からの放出成分が冷房空気とともに空気吹出口２から吹き出されることになる。
【００２１】
図４は、図１のリモコンの正面図である。なお、ここでは、放出成分として蚊を除去する殺虫成分を放出する場合のリモコンの例を示している。
リモコン７０は、現在の設定内容を表示する表示部７１と、「冷房／虫」設定ボタン７２と、「暖房」設定ボタン７３と、「除湿」設定ボタン７４と、風量を設定する風量設定ボタン７５と、風向を設定する風向設定ボタン７６と、空気調和機の電源をオフする電源ボタン７７と、温度を設定する温度設定ボタン７８とを備えている。また、リモコン７０は、現在時刻を経時する時計手段を内部に有しており、表示部７１に時刻を表示している。表示部７１には更に、左上から反時計周りに運転モード、現在温度（或いは設定温度）、放出運転中であることを示すマーク、現在の風量段階を示すインジケータ、現在湿度が表示されている。
【００２２】
「冷房／虫」設定ボタン７２は、冷房運転と放出運転とを指示するボタンで、図５に示すように１回押すと通常冷房（冷房運転）に、もう１回押すと放出冷房（冷房での放出運転）となり、押下回数によって交互に設定が切り換えられるようになっている。
【００２３】
以下、この実施の形態の空気調和機の動作を説明する。
図６は、実施の形態１の空気調和機の放出運転の動作を示すフローチャートである。
使用者により、リモコン７０の「冷房／虫」設定ボタン７２が２回押下されるなどして放出運転の開始が指示されると、リモコン７０は、放出運転中であることを示すマークを表示部７１に表示するとともに、放出運転指示信号を含む設定信号を空気調和機に送信する。リモコン７０から送信される設定信号には、リモコン７０の表示部７１に表示されている現在の各種設定情報（運転モード、目標温度、目標風量など）が含まれている。空気調和機の制御手段６０は、受信手段５０で設定信号を受信すると、放出運転の開始が指示されたことを認識し（Ｓ１）、動体検知手段３０により居住空間内に動体が存在するか否かをチェックする（Ｓ２）。動体が存在しなければ、すなわち居住空間に人間や動物が存在しなければ、放出手段４０の駆動条件を満たすものと判断して放出運転を行う。すなわち、放出手段４０の気化部４４を駆動するとともに空調手段１０を設定信号に基づく各種設定情報に従った冷房運転となるように空調手段１０を駆動制御する（Ｓ３）。これにより、気化部４４で気化された殺虫成分が、冷房空気とともに空気吹出口２から居住空間内に放出される。そして、ステップＳ２及びステップＳ３の処理を放出運転停止指示が行われるまで繰り返し行う（Ｓ４）。そして、放出運転停止指示が行われるか、または放出後に動体が検知された場合（Ｓ２）には、放出手段４０の気化部４４の駆動を停止するとともに、空調手段１０の駆動を停止する（Ｓ５）。
【００２４】
なお、リモコン７０を操作する使用者が動体検知手段３０で動体として検知されることのないように、使用者は、動体検知手段３０の撮影領域から離れた場所からリモコン７０を操作するか、または、使用者がリモコン７０による放出運転を指示した後、その部屋を退出するのに要する時間経過後に、動体検知手段３０で動体検知を行うようにする。
【００２５】
このように、この実施の形態１によれば、居住空間内に人や動物などが居るかどうかをチェックし、居ない場合に放出手段４０を駆動して居住空間内に殺虫成分（有害成分）を放出するようにしたので、生活環境の改善に有効な一方で人体に有害な放出成分を、人や動物に影響を及ぼすことなく居住空間に放出することができ、快適な室内環境を提供することが可能な空気調和機を得ることができる。
【００２６】
また、放出運転では、所定の空調運転モードと組み合わせて放出手段４０を駆動するようにもでき、この場合、放出運転を指示することにより、空調手段１０が予め設定された所定の空調運転モードを自動的に選択して動作するため、使い勝手の良い空気調和機を得ることができる。なお、どの空調運転モードと組み合わせるかは、使用者が自由に設定変更可能な構成とする。
【００２７】
また、空気調和機の空気吹出口２付近に放出手段４０を設けるようにしたため、最も快適性が必要とされる居住空間の広域にわたり放出成分を放出することができる。
【００２８】
また、従来の蚊取り線香の場合、生活エリアの比較的下部に設置されることが多く、火傷などの危険があるが、この実施の形態１では、通常天井近くの高い位置に配置される空気調和機に設置するため、子供や老人などが直接触れることなく、安全に使用することができる。
【００２９】
実施の形態２．
実施の形態１では、居住空間内に動体が検出されなければ放出手段４０の駆動条件を満たすものと判断して放出成分を放出するようにしたが、実施の形態２では、上記条件に加え、更に、居住空間の室温が、放出成分を有効に作用させるのに適した温度帯として予め設定された温度帯にあることを含むようにしたものである。実施の形態２の空気調和機の構成は、実施の形態の図２と同様であるため、説明は省略する。なお、上記温度帯の情報は、リモコン７０操作等により、予め制御手段６０に変更可能に設定されている。
【００３０】
図７は、実施の形態２の空気調和機の放出運転の動作を示すフローチャートである。図７において図６に示した実施の形態１と同一処理部分には同一符号を付している。実施の形態２も、実施の形態１と同様、放出手段４０の貯蔵部４１に蚊を撃退する殺虫剤が貯蔵されているものとする。一般に蚊の多くは夏場に発生することから、室温が例えば１５℃以上の時に放出するようにすると、蚊の撃退に効果がある。このため、室温が例えば１５℃以上の場合に、放出手段４０を駆動するようにした場合について説明する。
【００３１】
使用者により、リモコン７０の「冷房／虫」設定ボタン７２が２回押下されるなどして放出運転の開始が指示されると、リモコン７０は表示部７１に放出運転中であることを示すマークを表示するとともに、放出運転指示信号を含む設定信号を空気調和機に送信する。リモコン７０から送信される設定信号には、リモコン７０の表示部７１に表示されている現在の各種設定情報（運転モード、目標温度、目標風量など）が含まれている。空気調和機の制御手段６０は、受信手段５０で設定信号を受信すると、放出運転の開始が指示されたことを認識し（Ｓ１）、温度・湿度検出手段２０で検出された温度が１５℃以上であるか否かをチェックする（Ｓ１ａ）。そして、１５℃以上であれば、続いて、動体検知手段３０で居住空間内に動体が存在するか否かをチェックする（Ｓ２）。これらステップＳ１ａ及びステップＳ２が両方ＹＥＳであれば、放出手段４０の駆動条件を満たすものと判断して放出運転を行う（Ｓ３）。これ以降の動作は実施の形態１と同様である。
【００３２】
このように、実施の形態２は、実施の形態１と同様の作用効果が得られるとともに、放出手段４０の駆動条件として、更に、室温が放出手段４０の貯蔵部４１に貯蔵する放出液を効果的に作用させる温度帯にあることを含むようにしたので、放出成分を効果的に作用させることが可能である。
【００３３】
なお、ここでは、蚊を撃退する成分を効果的に作用させる温度帯の閾値として１５℃以上とした例を挙げて説明したが、地域や蚊によっては特性が異なるため、この温度に限定するものではなく、適宜設定変更可能である。
【００３４】
また、実施の形態２では、居住空間の室温が、放出成分を有効に作用させるのに適した温度帯として予め設定された温度帯にあるときに放出を行うようにしたが、温度に限られたものではなく、湿度帯を設定するようにしても良い。
【００３５】
実施の形態３．
実施の形態２では、温度検知結果と動体検知結果とが放出手段４０の駆動条件を満たす場合に放出手段４０を駆動するようにしていたが、この実施の形態３では、上記条件に加え、更に、時間情報も条件に加えるようにしたものである。
【００３６】
実施の形態３の空気調和機の構成は、実施の形態２と同様であるため、説明は省略する。なお、上記時間帯の情報は、リモコン７０操作等により予め制御手段６０に変更可能に設定されている。また、実施の形態３のリモコン７０は、設定信号を空気調和機に送信する際、各種設定情報（運転モード、目標温度、目標風量など）に加えて、内部の時計手段で経時した現在時刻を設定信号に含めて送信するようにしており、制御手段６０は、リモコン７０からの送信信号に含まれる時刻情報によって現在時刻を取得する時間取得手段を有している。
【００３７】
図８は、実施の形態３の空気調和機における放出運転の動作を示すフローチャートである。
蚊の多くは、夏場に発生することは説明したが、特に日中の高温時を除いた朝晩に活動的になる。このため、例えば時刻が１６時から翌８時までの間で気温が１５℃以上ある場合に、放出成分を放出すると蚊を撃退できる。図８は、この場合のフローチャートを示している。
【００３８】
使用者により、リモコン７０の「冷房／虫」設定ボタン７２が２回押下されるなどして放出運転の開始が指示されると、リモコン７０は表示部７１に放出運転中であることを示すマークを表示するとともに、放出運転指示信号を含む設定信号を空気調和機に送信する。リモコン７０から送信される設定信号には、リモコン７０の表示部７１に表示されている現在の各種設定情報（運転モード、目標温度、目標風量、現在時刻など）が含まれている。空気調和機の制御手段６０は、受信手段５０で設定信号を受信すると、放出運転の開始が指示されたことを認識し（Ｓ１）、時間取得手段で現在時刻を取得し、その現在時刻が、予め設定された放出時間帯（例えば１６時〜８時）にあるか否かをチェックする（Ｓ１ｂ）。そして、放出時間帯にあれば、続いて温度・湿度検出手段２０で検出された温度が１５℃以上であるか否かをチェックする（Ｓ１ａ）。これ以降の動作は実施の形態２と同様である。
【００３９】
このように、実施の形態３では、室内温度が予め設定された温度帯で、且つ、予め設定された放出時間帯にあるとき放出成分を放出するようにしたので、実施の形態２よりも更に放出成分を有効に作用させることが可能である。
【００４０】
なお、時間取得手段は、リモコン７０からの送信信号に含まれる時刻情報に基づいて現在時刻を取得するとして説明したが、以下のようにして現在時刻を取得するようにしてもよい。
【００４１】
一般に気温は１日を通じて朝方に最も低く、日中に最も高くなる。このため、空気調和機に設けられた温度・湿度検出手段２０で取得した温度情報を定期的に蓄積しておき、その温度情報から最も温度が高い時刻を１４時、最も低い温度の時刻を５時と仮定して、図９のような変化となる近似式を制御手段６０にて作成し、保持しておく。そして、温度・湿度検出手段２０で取得した温度と近似式とから概略時刻を算出することで、現在時刻を判断することが可能である。この方法によれば、一般的に高価な時計素子を用いなくても概略の時刻を得ることが可能な構成とすることができる。なお、本発明では、時刻の精度は特に要求されないため、上記方法で求めた概略時刻でも十分に時間帯放出の効果を発揮することができる。例えば蚊を撃退する場合の例では、放出開始時刻を早めに設定しておくことで、時刻精度が低くても、その影響を受けずに蚊撃退の効果を得ることができる。
【００４２】
実施の形態４．
実施の形態４では、設置環境のほこりや雑菌などによる環境汚染度を検出し、その環境汚染度が閾値以上である場合、居住空間内が汚染していると判断し、汚染物質を滅菌又は除菌する成分、例えば第四級アンモニウム塩あるいは次亜塩素酸ナトリウムを放出手段４０から放出させるようにしたものである。
【００４３】
図１０は、実施の形態４の空気調和機の構成は、図２に示した実施の形態１の構成に更に、設置環境（居住空間内）のほこりや雑菌などによる環境汚染度を検出する環境汚染度検出手段８０を設けたもので、その他の構成は実施の形態１と同様である。環境汚染度検出手段８０は、具体的には例えば塵埃センサで構成される。
【００４４】
図１１は、実施の形態４の空気調和機の放出運転の動作を示すフローチャートである。なお、実施の形態２の空気調和機では、汚染物質を滅菌又は除菌する除菌剤が放出手段４０の貯蔵部４１に貯蔵されており、放出運転が、冷房運転と組み合わせて行われるように設定されているものとする。
環境汚染度検出手段８０は、設置環境の環境汚染度を定期的に検出しており、その環境汚染度が予め設定された閾値以上となると（Ｓ１１）、居住空間内に汚染物質が浮遊しているものと判断し、放出運転の開始指示とみなして動体検知手段３０で居住空間内に動体が検知されたか否かのチェックを行う（Ｓ１２）。動体検知手段３０により動体が検知されなければ、すなわち居住空間に人間や動物が存在しなければ、放出手段４０の駆動条件を満たすものと判断して放出運転を行う。すなわち、放出手段４０の気化部４４を駆動するとともに空調手段１０を冷房運転に駆動制御する（Ｓ１３）。これにより、気化部４４で気化された除菌成分が冷房空気とともに空気吹出口２から居住空間内に放出される。ステップＳ１１〜Ｓ１３の動作が放出運転の停止指示が行われるまで継続される（Ｓ１４）。
【００４５】
このように、この実施の形態４では、環境汚染度が閾値以上になったことを放出運転の開始指示とみなすため、使用者によって放出運転の開始指示が行われなくても、居住空間内の快適度が低く、居住空間に人間や動物が存在しない場合に自動的に放出運転が行われ、居住空間を快適に維持することができる。
【００４６】
また、上記各実施の形態では、リモコン７０により各種運転モードの開始指示や温度設定等を行う場合を例示して説明したが、空気調和機に、携帯電話やパソコンなどの各種端末とインターネットなどのネットワークを介して通信を行うネットワーク通信手段を設け、放出手段４０の運転・停止や、放出量の制御を、外部端末を利用して遠隔からコントロールできるようにしてもよい。
【００４７】
また、貯蔵部４１をカートリッジ式としたので、使用者の目的に合わせて自由に交換でき、不要となれば廃却、不足したら補充することができる。また、新機能が提案されても、新製品を購入して取り付けることを可能とする。
【００４８】
また、上記各実施の形態では、貯蔵部を一つ設けた例を示したが、図１２に示すように複数設け、それぞれ別々の用途で使用する構成としても良い。図１２には、除菌用と蚊取り用の２つ設けた例を示している。これにより、貯蔵部を取り替える必要なく目的に応じた成分をそれぞれ放出することが可能となる。
【００４９】
また、よく使用する成分が偏っている場合には、同じ成分のカートリッジを複数取り付けるようにしてもよく、この場合、交換の頻度を抑えることができる。
【００５０】
また、上記各実施の形態では、風量制御について特に説明しなかったが、風量は放出成分が居住空間全体に行き渡るように、やや強めあるいは強風であることが望ましい。このため、制御手段６０はリモコン７０から受信した設定信号に基づく現在の風量設定が弱い場合、風量設定を自動的に１ランク強くするように制御するようにしてもよい。また、例えば風量を強く設定したときに放出手段４０放出量もそれに伴い増加させるように、気化部４４の加熱量を増加するように制御しても良い。この場合、すばやく広域にくまなく成分を放出できる。
【００５１】
また、上記各実施の形態では、風向制御についても特に説明しなかったが、空気調和機はその設置位置が頭上であることから、成分放出の風向は水平あるいはそれより下方向が望ましい。このため、制御手段６０はリモコン７０から受信した設定信号に基づく現在の風向設定が上方に設定されている場合、風向設定を自動的に１ランク下げるように制御するようにしても良い。
【００５２】
また、上記各実施の形態では、気化部４４をヒータで構成した場合を例示したが、空気調和機であれば室内機と室外機で熱交換しているため、配管の高温部を気化部４４に接触させる構造にすることで放出成分を気化させるようにしてもよい。
【００５３】
なお、上記各実施の形態では、放出手段４０から放出される放出成分として、殺虫剤や除菌剤のような液体の例を挙げたが、その他、害虫駆除に有効な高周波音であってもよい。この場合、放出手段４０は高周波音発生装置から構成されることになる。
【００５４】
また、上記実施の形態では、冷房運転と組み合わせて放出手段４０を駆動する例を説明したが、冷房運転に限られたものではなく、放出成分に応じて暖房運転や除湿運転と組み合わせるようにしてもよい。
【００５５】
なお、上述した実施の形態１〜４においてそれぞれ別の実施の形態として説明したが、実施の形態１〜４を適宜組み合わせた空気調和機としても良い。
【図面の簡単な説明】
【００５６】
【図１】実施の形態１の空気調和機の室内機の外観概略斜視図である。
【図２】図１の空気調和機の内部構成を示すブロック図である。
【図３】図１の放出手段の構成を示す図である。
【図４】図１のリモコンの正面図である。
【図５】放出運転の設定指示の説明図である。
【図６】実施の形態１の空気調和機の放出運転の動作を示すフローチャートである。
【図７】実施の形態２の空気調和機の放出運転の動作を示すフローチャートである。
【図８】実施の形態３の空気調和機における放出運転の動作を示すフローチャートである。
【図９】一日の時刻と気温との関係を示す図である。
【図１０】実施の形態４の空気調和機の構成を示すブロック図である。
【図１１】実施の形態４の空気調和機の放出運転の動作を示すフローチャートである。
【図１２】放出手段の他の構成例を示す図である。
【符号の説明】
【００５７】
１０  空調手段、２０  温度・湿度検出手段、３０  動体検知手段、４０  放出手段、４１  貯蔵部、６０  制御手段、７０  リモコン、７２  「冷房／虫」設定ボタン、８０  環境汚染度検出手段。
【図１】
2008241201.tif 000003
【図２】
2008241201.tif 000004
【図３】
2008241201.tif 000005
【図４】
2008241201.tif 000006
【図５】
2008241201.tif 000007
【図６】
2008241201.tif 000008
【図７】
2008241201.tif 000009
【図８】
2008241201.tif 000010
【図９】
2008241201.tif 000011
【図１０】
2008241201.tif 000012
【図１１】
2008241201.tif 000013
【図１２】
2008241201.tif 000014